(57)【要約】  本出願の実施形態は、リソース割り当て方法及び装置、並びにシステムを提供する。方法は、ネットワークデバイスにより、第１の情報をユーザ装置に送信するステップであり、第１の情報は、ユーザ装置により実行される自律上りリンク伝送に対応する上りリンクリソースを示すために使用される、ステップと、ネットワークデバイスにより、第２の情報をユーザ装置に送信するステップであり、第２の情報は、上りリンクリソース内であり、かつ自律上りリンク伝送を実行するためにユーザ装置により実際に使用されるリソースを示すために使用される、ステップとを含む。本出願において、リソース利用率が確保されると同時に、自律上りリンク伝送に対応する上りリンクリソースが割り当てられる。
2021501546.tif 000002
【特許請求の範囲】
【請求項１】
リソース割り当て方法であって、
ネットワークデバイスにより、第１の情報をユーザ装置に送信するステップであり、前記第１の情報は、前記ユーザ装置により実行される自律上りリンク伝送に対応する上りリンクリソースを示すために使用される、ステップと、
前記ネットワークデバイスにより、第２の情報を前記ユーザ装置に送信するステップであり、前記第２の情報は、前記上りリンクリソース内であり、かつ自律上りリンク伝送を実行するために前記ユーザ装置により実際に使用されるリソースを示すために使用される、ステップと、
を含む方法。
【請求項２】
ネットワークデバイスにより、第１の情報をユーザ装置に送信するステップは、
前記ネットワークデバイスにより、前記第１の情報を無線リソース制御シグナリングに追加することにより前記第１の情報を前記ユーザ装置に送信するステップ
を含む、請求項１に記載の方法。
【請求項３】
前記ネットワークデバイスにより、第２の情報を前記ユーザ装置に送信するステップは、
前記ネットワークデバイスにより、下りリンク制御情報を前記ユーザ装置に送信するステップであり、前記下りリンク制御情報は前記第２の情報を含む、ステップ、又は、
前記ネットワークデバイスにより、前記第２の情報を媒体アクセス制御層における制御ユニットに追加することにより前記第２の情報を前記ユーザ装置に送信するステップ
を含む、請求項１又は２に記載の方法。
【請求項４】
前記ネットワークデバイスにより、下りリンク制御情報を前記ユーザ装置に送信するステップは、前記ネットワークデバイスが、自律上りリンク伝送に対応する特定の無線ネットワーク一時識別子を使用することにより前記下りリンク制御情報をスクランブルした後、スクランブルされた下りリンク制御情報を前記ユーザ装置に送信するステップを含む、請求項３に記載の方法。
【請求項５】
前記第１の情報は、以下の情報、すなわち、
開始位置情報、終了位置情報、リソース期間、開始位置のオフセット、第１のリソースサイズ、及び第１のビットマップのパターン情報
のうち１つ以上を含む、請求項１乃至４のうちいずれか１項に記載の方法。
【請求項６】
前記第２の情報は、以下の情報、すなわち、
アクティブ化位置情報、非アクティブ化位置情報、第２のリソースサイズ、及び第２のビットマップのパターン情報
のうち１つ以上を含む、請求項１乃至５のうちいずれか１項に記載の方法。
【請求項７】
リソース割り当て方法であって、
ユーザ装置により、ネットワークデバイスにより送信された第１の情報を受信するステップであり、前記第１の情報は、前記ユーザ装置により実行される自律上りリンク伝送に対応する上りリンクリソースを示すために使用される、ステップと、
前記ユーザ装置により、前記ネットワークデバイスにより送信された第２の情報を受信するステップであり、前記第２の情報は、前記上りリンクリソース内であり、かつ自律上りリンク伝送を実行するために前記ユーザ装置により実際に使用されるリソースを示すために使用される、ステップと、
前記ユーザ装置により、前記第１の情報及び前記第２の情報に基づいて自律上りリンク伝送を実行するステップと、
を含む方法。
【請求項８】
ユーザ装置により、ネットワークデバイスにより送信された第１の情報を受信するステップは、
前記ユーザ装置により、無線リソース制御シグナリングを使用することにより前記ネットワークデバイスにより送信された前記第１の情報を受信するステップ
を含む、請求項７に記載の方法。
【請求項９】
前記ユーザ装置により、前記ネットワークデバイスにより送信された第２の情報を受信するステップは、
前記ユーザ装置により、前記ネットワークデバイスにより送信された下りリンク制御情報を受信するステップであり、前記下りリンク制御情報は前記第２の情報を含む、ステップ、又は、
前記ユーザ装置により、媒体アクセス制御層における制御ユニットを使用することにより前記ネットワークデバイスにより送信された前記第２の情報を受信するステップ
を含む、請求項７又は８に記載の方法。
【請求項１０】
前記ユーザ装置により、前記ネットワークデバイスにより送信された下りリンク制御情報を受信するステップは、前記ユーザ装置により、自律上りリンク伝送に対応する特定の無線ネットワーク一時識別子を使用することにより物理下りリンク制御チャネルをデスクランブルして、前記物理下りリンク制御チャネルから前記下りリンク制御情報を取得するステップを含む、請求項９に記載の方法。
【請求項１１】
前記第１の情報は、以下の情報、すなわち、
開始位置情報、終了位置情報、リソース期間、開始位置のオフセット、第１のリソースサイズ、及び第１のビットマップのパターン情報
のうち１つ以上を含む、請求項７乃至１０のうちいずれか１項に記載の方法。
【請求項１２】
前記第２の情報は、以下の情報、すなわち、
アクティブ化位置情報、非アクティブ化位置情報、第２のリソースサイズ、及び第２のビットマップのパターン情報
のうち１つ以上を含む、請求項７乃至１１のうちいずれか１項に記載の方法。
【請求項１３】
リソース割り当て装置であって、
第１の情報をユーザ装置に送信するように構成された第１の送信ユニットであり、前記第１の情報は、前記ユーザ装置により実行される自律上りリンク伝送に対応する上りリンクリソースを示すために使用される、第１の送信ユニットと、
第２の情報を前記ユーザ装置に送信するように構成された第２の送信ユニットであり、前記第２の情報は、前記上りリンクリソース内であり、かつ自律上りリンク伝送を実行するために前記ユーザ装置により実際に使用されるリソースを示すために使用される、第２の送信ユニットと、
を含む装置。
【請求項１４】
前記第１の送信ユニットは、前記第１の情報を無線リソース制御シグナリングに追加することにより前記第１の情報を前記ユーザ装置に送信するように具体的に構成される、請求項１３に記載の装置。
【請求項１５】
前記第２の送信ユニットは、下りリンク制御情報を前記ユーザ装置に送信するように具体的に構成され、前記下りリンク制御情報は前記第２の情報を含み、あるいは、
前記第２の送信ユニットは、前記第２の情報を媒体アクセス制御層における制御ユニットに追加することにより前記第２の情報を前記ユーザ装置に送信するように具体的に構成される、請求項１３又は１４に記載の装置。
【請求項１６】
前記第２の送信ユニットは、自律上りリンク伝送に対応する特定の無線ネットワーク一時識別子を使用することにより前記下りリンク制御情報をスクランブルした後、スクランブルされた下りリンク制御情報を前記ユーザ装置に送信するように具体的に構成される、請求項１５に記載の装置。
【請求項１７】
前記第１の情報は、以下の情報、すなわち、
開始位置情報、終了位置情報、リソース期間、開始位置のオフセット、第１のリソースサイズ、及び第１のビットマップのパターン情報
のうち１つ以上を含む、請求項１３乃至１６のうちいずれか１項に記載の装置。
【請求項１８】
前記第２の情報は、以下の情報、すなわち、
アクティブ化位置情報、非アクティブ化位置情報、第２のリソースサイズ、及び第２のビットマップのパターン情報
のうち１つ以上を含む、請求項１３乃至１７のうちいずれか１項に記載の装置。
【請求項１９】
リソース割り当て装置であって、
ネットワークデバイスにより送信された第１の情報を受信するように構成された第１の受信ユニットであり、前記第１の情報は、前記ユーザ装置により実行される自律上りリンク伝送に対応する上りリンクリソースを示すために使用される、第１の受信ユニットと、
前記ネットワークデバイスにより送信された第２の情報を受信するように構成された第２の受信ユニットであり、前記第２の情報は、前記上りリンクリソース内であり、かつ自律上りリンク伝送を実行するために前記ユーザ装置により実際に使用されるリソースを示すために使用される、第２の受信ユニットと、
前記第１の情報及び前記第２の情報に基づいて自律上りリンク伝送を実行するように構成された上りリンク伝送ユニットと、
を含む装置。
【請求項２０】
前記第１の受信ユニットは、無線リソース制御シグナリングを使用することにより前記ネットワークデバイスにより送信された前記第１の情報を受信するように具体的に構成される、請求項１９に記載の装置。
【請求項２１】
前記第２の受信ユニットは、前記ネットワークデバイスにより送信された下りリンク制御情報を受信するように具体的に構成され、前記下りリンク制御情報は前記第２の情報を含み、あるいは、
前記第２の受信ユニットは、媒体アクセス制御層における制御ユニットを使用することにより前記ネットワークデバイスにより送信された前記第２の情報を受信するように具体的に構成される、請求項１９又は２０に記載の装置。
【請求項２２】
前記第２の受信ユニットは、自律上りリンク伝送に対応する特定の無線ネットワーク一時識別子を使用することにより物理下りリンク制御チャネルをデスクランブルして、前記物理下りリンク制御チャネルから前記下りリンク制御情報を取得するように具体的に構成される、請求項２１に記載の装置。
【請求項２３】
前記第１の情報は、以下の情報、すなわち、
開始位置情報、終了位置情報、リソース期間、開始位置のオフセット、第１のリソースサイズ、及び第１のビットマップのパターン情報
のうち１つ以上を含む、請求項１９乃至２２のうちいずれか１項に記載の装置。
【請求項２４】
前記第２の情報は、以下の情報、すなわち、
アクティブ化位置情報、非アクティブ化位置情報、第２のリソースサイズ、及び第２のビットマップのパターン情報
のうち１つ以上を含む、請求項１９乃至２３のうちいずれか１項に記載の装置。
【請求項２５】
請求項１３乃至１８のうちいずれか１項に記載のリソース割り当て装置と、請求項１９乃至２４のうちいずれか１項に記載のリソース割り当て装置と、を含む通信システム。
【発明の詳細な説明】
【技術分野】
【０００１】
本出願は、通信技術の分野に関し、特に、リソース割り当て方法及び装置、並びにシステムに関する。
【背景技術】
【０００２】
無線通信システムで使用されるスペクトルは、ライセンススペクトル（licensed  spectrum）とアンライセンススペクトル（unlicensed  spectrum）に分類され得る。ライセンススペクトルは、ライセンススペクトルを使用するためにライセンスされたオペレータによってのみ使用でき、アンライセンススペクトルは、誰でも合法的に使用できる。
【０００３】
従来技術では、無線通信の増大する要求を満たすために、ロングタームエボリューション（long  term  evolution、ＬＴＥ）ネットワークにおいてアンライセンススペクトルを使用するライセンス支援アクセス（licensed  assisted  access、ＬＡＡ）技術が提案され、ＬＴＥ  ＬＡＡとして示されている。アンライセンススペクトルは、誰でも合法的に使用できるため、アンライセンススペクトルを使用することにより上りリンクデータを伝送するとき、ＬＴＥ  ＬＡＡのユーザ装置は、リッスンビフォアトーク（listen  before  talk、ＬＢＴ）競合アクセスメカニズムを使用する必要がある。したがって、アンライセンススペクトルを使用することにより上りリンクデータを伝送する必要があるとき、ＬＴＥ  ＬＡＡのユーザ装置は現在、まず、基地局に対してスケジューリング要求を送信し、次いで、基地局により送信された上りリンクスケジューリング情報に基づいて、ＬＢＴ競合アクセスメカニズムを使用することにより、対応するアンライセンススペクトルリソース上のチャネルを先取する（preempt）必要がある。チャネルを成功裏に先取した場合、ＬＴＥ  ＬＡＡのユーザ装置は、対応するアンライセンスキャリアで上りリンクデータを伝送する。アンライセンススペクトルを使用することにより上りリンクデータを伝送する際のＬＴＥ  ＬＡＡにおけるユーザ装置の自律性を改善するために、自律上りリンク（autonomous  uplink、ＡＵＬ）伝送技術がさらに提案されている。自律上りリンク伝送技術に基づき、ユーザ装置は、アンライセンススペクトルで上りリンクデータを送信するとき、スケジューリング要求を基地局に送信する必要がなく、アンライセンススペクトルリソース上のＬＢＴ競合アクセスメカニズムを使用することによりチャネルを先取した後、上りリンクデータを直接送信してもよい。
【０００４】
しかしながら、従来技術では、自律上りリンク伝送技術に基づいて、上りリンクリソースをどのように割り当てるかが、現在解決されるべき差し迫った問題となっている。
【発明の概要】
【０００５】
本出願は、自律上りリンク伝送技術に従って上りリンクリソースをどのように割り当てるかという従来技術の差し迫った問題を解決するためのリソース割り当て方法及び装置、並びにシステムを提供する。
【０００６】
第１の態様によれば、本出願の一実施形態はリソース割り当て方法を提供し、
ネットワークデバイスにより、第１の情報をユーザ装置に送信するステップであり、第１の情報は、ユーザ装置により実行される自律上りリンク伝送に対応する上りリンクリソースを示すために使用される、ステップと、
ネットワークデバイスにより、第２の情報をユーザ装置に送信するステップであり、第２の情報は、上りリンクリソース内であり、かつ自律上りリンク伝送を実行するためにユーザ装置により実際に使用されるリソースを示すために使用される、ステップと、
を含む。
【０００７】
一実装設計において、ネットワークデバイスにより、第１の情報をユーザ装置に送信するステップは、
ネットワークデバイスにより、第１の情報を無線リソース制御シグナリングに追加することにより第１の情報をユーザ装置に送信するステップ
を含む。
【０００８】
一実装設計において、ネットワークデバイスにより、第２の情報をユーザ装置に送信するステップは、
ネットワークデバイスにより、下りリンク制御情報をユーザ装置に送信するステップであり、下りリンク制御情報は第２の情報を含む、ステップ、又は、ネットワークデバイスにより、第２の情報を媒体アクセス制御層における制御ユニットに追加することにより第２の情報をユーザ装置に送信するステップ
を含む。
【０００９】
一実装設計において、ネットワークデバイスにより、下りリンク制御情報をユーザ装置に送信するステップは、ネットワークデバイスが、自律上りリンク伝送に対応する特定の無線ネットワーク一時識別子を使用することにより下りリンク制御情報をスクランブルした後、スクランブルされた下りリンク制御情報をユーザ装置に送信するステップを含む。
【００１０】
一実装設計において、第１の情報は、以下の情報、すなわち、
開始位置情報、終了位置情報、リソース期間、開始位置のオフセット、第１のリソースサイズ、及び第１のビットマップのパターン情報
のうち１つ以上を含む。
【００１１】
一実装設計において、第２の情報は、以下の情報、すなわち、
アクティブ化位置情報、非アクティブ化位置情報、第２のリソースサイズ、及び第２のビットマップのパターン情報
のうち１つ以上を含む。
【００１２】
第２の態様によれば、本出願の一実施形態はリソース割り当て方法を提供し、
ユーザ装置により、ネットワークデバイスにより送信された第１の情報を受信するステップであり、第１の情報は、ユーザ装置により実行される自律上りリンク伝送に対応する上りリンクリソースを示すために使用される、ステップと、
ユーザ装置により、ネットワークデバイスにより送信された第２の情報を受信するステップであり、第２の情報は、上りリンクリソース内であり、かつ自律上りリンク伝送を実行するためにユーザ装置により実際に使用されるリソースを示すために使用される、ステップと、
ユーザ装置により、第１の情報及び第２の情報に基づいて自律上りリンク伝送を実行するステップと、
を含む。
【００１３】
一実装設計において、ユーザ装置により、ネットワークデバイスにより送信された第１の情報を受信するステップは、
ユーザ装置により、無線リソース制御シグナリングを使用することによりネットワークデバイスにより送信された第１の情報を受信するステップ
を含む。
【００１４】
一実装設計において、ユーザ装置により、ネットワークデバイスにより送信された第２の情報を受信するステップは、
ユーザ装置により、ネットワークデバイスにより送信された下りリンク制御情報を受信するステップであり、下りリンク制御情報は第２の情報を含む、ステップ、又は、ユーザ装置により、媒体アクセス制御層における制御ユニットを使用することによりネットワークデバイスにより送信された第２の情報を受信するステップ
を含む。
【００１５】
一実装設計において、ユーザ装置により、ネットワークデバイスにより送信された下りリンク制御情報を受信するステップは、ユーザ装置により、自律上りリンク伝送に対応する特定の無線ネットワーク一時識別子を使用することにより物理下りリンク制御チャネルをデスクランブルして、物理下りリンク制御チャネルから下りリンク制御情報を取得するステップを含む。
【００１６】
一実装設計において、第１の情報は、以下の情報、すなわち、
開始位置情報、終了位置情報、リソース期間、開始位置のオフセット、第１のリソースサイズ、及び第１のビットマップのパターン情報
のうち１つ以上を含む。
【００１７】
一実装設計において、第２の情報は、以下の情報、すなわち、
アクティブ化位置情報、非アクティブ化位置情報、第２のリソースサイズ、及び第２のビットマップのパターン情報
のうち１つ以上を含む。
【００１８】
第３の態様によれば、本出願の一実施形態はリソース割り当て装置を提供し、
第１の情報をユーザ装置に送信するように構成された第１の送信ユニットであり、第１の情報は、ユーザ装置により実行される自律上りリンク伝送に対応する上りリンクリソースを示すために使用される、第１の送信ユニットと、
第２の情報をユーザ装置に送信するように構成された第２の送信ユニットであり、第２の情報は、上りリンクリソース内であり、かつ自律上りリンク伝送を実行するためにユーザ装置により実際に使用されるリソースを示すために使用される、第２の送信ユニットと、
を含む。
【００１９】
一実装設計において、第１の送信ユニットは、第１の情報を無線リソース制御シグナリングに追加することにより第１の情報をユーザ装置に送信するように具体的に構成される。
【００２０】
一実装設計において、第２の送信ユニットは、下りリンク制御情報をユーザ装置に送信するように具体的に構成され、下りリンク制御情報は第２の情報を含み、あるいは、第２の送信ユニットは、第２の情報を媒体アクセス制御層における制御ユニットに追加することにより第２の情報をユーザ装置に送信するように具体的に構成される。
【００２１】
一実装設計において、第２の送信ユニットは、自律上りリンク伝送に対応する特定の無線ネットワーク一時識別子を使用することにより下りリンク制御情報をスクランブルした後、スクランブルされた下りリンク制御情報をユーザ装置に送信するように具体的に構成される。
【００２２】
一実装設計において、第１の情報は、以下の情報、すなわち、
開始位置情報、終了位置情報、リソース期間、開始位置のオフセット、第１のリソースサイズ、及び第１のビットマップのパターン情報
のうち１つ以上を含む。
【００２３】
一実装設計において、第２の情報は、以下の情報、すなわち、
アクティブ化位置情報、非アクティブ化位置情報、第２のリソースサイズ、及び第２のビットマップのパターン情報
のうち１つ以上を含む。
【００２４】
第４の態様によれば、本出願の一実施形態はリソース割り当て装置を提供し、
ネットワークデバイスにより送信された第１の情報を受信するように構成された第１の受信ユニットであり、第１の情報は、ユーザ装置により実行される自律上りリンク伝送に対応する上りリンクリソースを示すために使用される、第１の受信ユニットと、
ネットワークデバイスにより送信された第２の情報を受信するように構成された第２の受信ユニットであり、第２の情報は、上りリンクリソース内であり、かつ自律上りリンク伝送を実行するためにユーザ装置により実際に使用されるリソースを示すために使用される、第２の受信ユニットと、
第１の情報及び第２の情報に基づいて自律上りリンク伝送を実行するように構成された上りリンク伝送ユニットと、
を含む。
【００２５】
一実装設計において、第１の受信ユニットは、無線リソース制御シグナリングを使用することによりネットワークデバイスにより送信された第１の情報を受信するように具体的に構成される。
【００２６】
一実装設計において、第２の受信ユニットは、ネットワークデバイスにより送信された下りリンク制御情報を受信するように具体的に構成され、下りリンク制御情報は第２の情報を含み、あるいは、第２の受信ユニットは、媒体アクセス制御層における制御ユニットを使用することによりネットワークデバイスにより送信された第２の情報を受信するように具体的に構成される。
【００２７】
一実装設計において、第２の受信ユニットは、自律上りリンク伝送に対応する特定の無線ネットワーク一時識別子を使用することにより物理下りリンク制御チャネルをデスクランブルして、物理下りリンク制御チャネルから下りリンク制御情報を取得するように具体的に構成される。
【００２８】
一実装設計において、第１の情報は、以下の情報、すなわち、
開始位置情報、終了位置情報、リソース期間、開始位置のオフセット、第１のリソースサイズ、及び第１のビットマップのパターン情報
のうち１つ以上を含む。
【００２９】
一実装設計において、第２の情報は、以下の情報、すなわち、
アクティブ化位置情報、非アクティブ化位置情報、第２のリソースサイズ、及び第２のビットマップのパターン情報
のうち１つ以上を含む。
【００３０】
第５の態様によれば、本出願の一実施形態は、第３の態様に記載のリソース割り当て装置と、第４の態様に記載のリソース割り当て装置と、を含む通信システムを提供する。
【００３１】
第６の態様によれば、本出願の一実施形態は、コンピュータ命令を記憶するように構成されたコンピュータ読取可能記憶媒体を提供する。コンピュータ命令がコンピュータ上で実行されたとき、コンピュータは、本出願の実施形態の第１の態様又は第２の態様で提供されるリソース割り当て方法を実行可能にされる。
【００３２】
第７の態様によれば、本出願の一実施形態は、命令を含むコンピュータプログラムプロダクトを提供する。コンピュータプログラムプロダクトがコンピュータ上で実行されたとき、コンピュータは、本出願の実施形態の第１の態様又は第２の態様で提供されるリソース割り当て方法を実行可能にされる。
【００３３】
本出願で提供されるリソース割り当て方法及び装置、並びにシステムによれば、ネットワークデバイスは、ユーザ装置により行われる自律上りリンク伝送に対応する上りリンクリソースを示すための第１の情報をユーザ装置に送信し、ネットワークデバイスは、上りリンクリソース内であり、かつ自律上りリンク伝送を行うためにユーザ装置により実際に使用されるリソースを示すための第２の情報をユーザ装置に送信し、ユーザ装置は、第１の情報及び第２の情報に基づいて自律上りリンク伝送を行い、それにより、リソース利用率が確保されると同時に、自律上りリンク伝送に対応する上りリンクリソースが割り当てられる。
【図面の簡単な説明】
【００３４】
【図１】本出願の一実施形態によるアプリケーションアーキテクチャの概略図である。
【図２】本出願の一実施形態によるリソース割り当て方法のフローチャートである。
【図３Ａ】本出願の一実施形態による上りリンクリソースの概略図１である。
【図３Ｂ】本出願の一実施形態による上りリンクリソースの概略図２である。
【図３Ｃ】本出願の一実施形態による上りリンクリソースの概略図３である。
【図３Ｄ】本出願の一実施形態による上りリンクリソースの概略図４である。
【図４】本出願の一実施形態によるパターン情報の概略図である。
【図５Ａ】本出願の一実施形態による、上りリンクリソース内であり、かつ自律上りリンク伝送を実行するためにユーザ装置により実際に使用されるリソースの概略図１である。
【図５Ｂ】本出願の一実施形態による、上りリンクリソース内であり、かつ自律上りリンク伝送を実行するためにユーザ装置により実際に使用されるリソースの概略図２である。
【図５Ｃ】本出願の一実施形態による上りリンクリソース及びアクティブ化ウィンドウの概略図である
【図６】本出願の一実施形態によるリソース割り当て装置の概略構造図である。
【図７】本出願の別の実施形態によるリソース割り当て装置の概略構造図である。
【図８】本出願の一実施形態によるユーザ装置の概略構造図である。
【図９】本出願の一実施形態によるネットワークデバイスの概略構造図である。
【発明を実施するための形態】
【００３５】
本出願の実施形態で提供されるリソース割り当て方法及び装置は、自律上りリンク伝送（autonomous  uplink  transmission）のシナリオに適用可能である。具体的には、この方法及び装置は、ＬＡＡシステムにおける自律上りリンク伝送のシナリオに適用され得る。図１に示すように、本出願の実施形態におけるアプリケーションアーキテクチャは、ユーザ装置（user  equipment、ＵＥ）及びネットワークデバイスを含んでもよく、ユーザ装置は、ネットワークデバイスに通信上接続される。ユーザ装置は、自律上りリンク伝送技術に基づいてアンライセンススペクトル上で上りリンクデータを送信することができる。ネットワークデバイスは、自律上りリンク伝送に使用される上りリンクリソースをユーザ装置に割り当てることができる。
【００３６】
ユーザ装置は、これらに限られないが、スマートフォン（Ａｎｄｒｏｉｄモバイルフォン又はＩＯＳモバイルフォンなど）、パーソナルコンピュータ、タブレットコンピュータ、パーソナルコンピュータ、モバイルインターネットデバイス（mobile  internet  devices、ＭＩＤ）、又はウェアラブルインテリジェントデバイスなどのインターネットデバイスを含んでもよい。
【００３７】
ネットワークデバイスは、基地局を含んでもよい。基地局は、グローバルシステムフォーモバイルコミュニケーション（global  system  for  mobile  communication、ＧＳＭ）又は符号分割多元接続（code  division  multiple  access、ＣＤＭＡ）システムにおけるベーストランシーバ局（base  transceiver  station、ＢＴＳ）でもよく、あるいは広帯域符号分割多元接続（wideband  code  division  multiple  access  ＷＣＤＭＡ）システムにおけるＮＢ（ノードＢ（NodeB））でもよく、あるいはＬＴＥにおける進化型ノードＢ（evolved  NodeB、ｅＮＢ）、又は中継局、又は車載デバイス、ウェアラブルデバイス、将来の５Ｇネットワークにおけるアクセスネットワークデバイス、将来の進化型公衆陸上移動体ネットワーク（public  land  mobile  network、ＰＬＭＮ）ネットワークにおけるアクセスネットワークデバイスなどでもよい。これは本出願において限定されない。
【００３８】
本出願の技術的解決策を詳細に説明するために、特定の実施形態が以下で使用される。以下のいくつかの特定の実施形態は、互いに組み合わせられてもよく、いくつかの実施形態において、同一又は類似の概念又はプロセスは繰り返し説明されないことがある。
【００３９】
図２は、本出願の一実施形態によるリソース割り当て方法のフローチャートである。図２に示すように、この実施形態における方法は以下のステップを含み得る。
【００４０】
ステップ２０１：ネットワークデバイスが第１の情報をユーザ装置に送信し、第１の情報は、ユーザ装置により実行される自律上りリンク伝送に対応する上りリンクリソースを示すために使用される。
【００４１】
このステップにおいて、ネットワークデバイスは、より上位層のシグナリング、例えば、無線リソース制御（radio  resource  control、ＲＲＣ）シグナリングを使用することにより、ユーザ装置に第１の情報を送信してもよい。第１の情報により示され、自律上りリンク伝送に対応する上りリンクリソースは、ネットワークデバイスが自律上りリンク伝送のために割り当てるよう計画している上りリンクリソースとして理解されてもよい。上りリンクリソースは単に、ネットワークデバイスが自律上りリンク伝送のために割り当てるよう計画している上りリンクリソースであり、第１の情報を受信した後、ネットワークデバイスは、自律上りリンク伝送を実行するために上りリンクリソースを直接使用できないことに留意されたい。
【００４２】
第１の情報は、ユーザ装置に対して上りリンクリソースを示すことができる任意の情報を具体的に含んでもよい。任意で、第１の情報は、以下の情報、すなわち、開始位置情報、終了位置情報、リソース期間（resource  period）、開始位置のオフセット、第１のリソースサイズ、及び第１のビットマップ（Bitmap）のパターン（pattern）情報のうち、１つ以上を含んでもよい。開始位置情報は上りリンクリソースの開始位置を示すことができ、終了位置情報は上りリンクリソースの終了位置を示すことができる。開始位置情報及び終了位置情報は、無線フレーム番号（システムフレーム番号とも呼ばれる）、サブフレーム番号、スロット番号、シンボルインデックス等のうち１つ以上を使用することにより具体的に記述されてもよい。リソース期間は、上りリンクリソースの構成期間を示すことができる。開始位置のオフセットは、上りリンクリソースの開始位置を補正するために使用されてもよい。上りリンクリソースが周期的に構成されるとき、第１のリソースサイズは、各期間内に構成された上りリンクリソースのサイズを示すことができる。上りリンクリソースが非周期的に構成されるとき、第１のリソースサイズは、構成された上りリンクリソースのサイズを示すことができる。開始位置のオフセット、リソース期間、及び第１のリソースサイズは、時間長値、サブフレーム数、無線フレーム数、スロット数、シンボル数などを使用することにより具体的に記述されてもよい。第１のビットマップのパターン情報は、上りリンクリソースのビットマップパターンを示すために使用されてもよい。上りリンクリソースが周期的に設定されるとき、第１のビットマップのパターン情報は、単一の期間内に構成された上りリンクリソースのビットマップパターンを示すことができる。異なる期間のビットマップパターンは、同じでもよく、あるいは異なってもよい。これは本明細書において限定されない。第１のビットマップは、サブフレーム、無線フレーム、スロット（slot）、シンボル、又はより小さい測定単位において具体的に測定されてもよい。これは本明細書において限定されない。第１のビットマップがサブフレームにおいて測定される場合、第１のビットマップの１ビットが１つのサブフレームに対応してもよい。第１のビットマップがスロットにおいて測定される場合、１ビットが１スロットに対応してもよい。第１のビットマップのパターン情報では、自律上りリンク伝送のために割り当てるよう計画されたリソースに対応するビットと、自律上りリンク伝送のために割り当てないように計画されたリソースに対応するビットが、異なる値に設定される。
【００４３】
以下では、第１の情報が、前述の情報のうち１つ以上を使用することにより、上りリンクリソースを示す例について説明する。
【００４４】
例１：第１の情報が、開始位置情報及びリソース期間を含む。対応して、第１の情報により示され自律上りリンク伝送に対応する上りリンクリソースが、図３Ａに示され得る。各期間における上りリンクリソースのサイズは、予め設定されたサイズでもよく、全ての期間における上りリンクリソースのサイズは、同じでもよく、あるいは異なってもよい。これは本出願において限定されない。
【００４５】
例２：第１の情報が、開始位置情報、リソース期間、及び第１のリソースサイズを含む。対応して、第１の情報により示され自律上りリンク伝送に対応する上りリンクリソースが、図３Ｂに示され得る。
【００４６】
例３：第１の情報が、開始位置情報、リソース期間、第１のリソースサイズ、及び開始位置のオフセットを含む。対応して、第１の情報により示され自律上りリンク伝送に対応する上りリンクリソースが、図３Ｃに示され得る。
【００４７】
例４：第１の情報が、開始位置情報、リソース期間、第１のリソースサイズ、及び終了位置情報を含む。対応して、第１の情報により示され自律上りリンク伝送に対応する上りリンクリソースが、図３Ｄに示され得る。
【００４８】
例１〜例４において、第１の情報により示され自律上りリンク伝送に対応する上りリンクリソースは、開始位置情報、終了位置情報、リソース期間、第１のリソースサイズ、及び開始位置のオフセットのうち１つ以上により制限されるリソース範囲内のリソースとして理解されてもよい。
【００４９】
任意で、開始位置情報、終了位置情報、リソース期間、第１のリソースサイズ、及び開始位置のオフセットのうち１つ以上に追加で、第１の情報は、第１のビットマップのパターン情報をさらに含んでもよい。対応して、第１の情報により示され自律上りリンク伝送に対応する上りリンクリソースは、開始位置情報、終了位置情報、リソース期間、第１のリソースサイズ、及び開始位置のオフセットのうちの１つ以上により制限されるリソース範囲において、第１のビットマップのパターン情報を参照して決定されるリソースとして理解されてもよい。詳細については例５〜例７を参照する。
【００５０】
例５：第１の情報が、開始位置情報、終了位置情報、及び第１のビットマップのパターン情報を含む。対応して、第１の情報により示され自律上りリンク伝送に対応する上りリンクリソースは、開始位置情報及び終了位置情報により制限されるリソース範囲内で、第１のビットマップのパターン情報を参照して決定されるリソースでもよい。例えば、開始位置情報が具体的に無線フレーム番号１のサブフレーム番号０であり、終了位置情報が具体的に無線フレーム番号４のサブフレーム番号０であり、第１のビットマップのパターン情報が図４に示されているとき、第１の情報により示され自律上りリンク伝送に対応する上りリンクリソースは、無線フレーム番号付け１のサブフレーム番号付け２及び５、無線フレーム番号付け２のサブフレーム番号付け０、３、及び８、並びに無線フレーム番号付け３のサブフレーム番号付け１、６、及び９である。
【００５１】
例６：第１の情報が、開始位置情報、第１のビットマップのパターン情報、及びリソース期間を含む。対応して、第１の情報により示され自律上りリンク伝送に対応する上りリンクリソースは、開始位置情報及びリソース期間により制限されるリソース範囲内で、第１のビットマップのパターン情報を参照して決定されるリソースでもよい。
【００５２】
例７：第１の情報が、開始位置情報、終了位置情報、第１のビットマップのパターン情報、リソース期間、及び開始位置のオフセットを含む。対応して、第１の情報により示され自律上りリンク伝送に対応する上りリンクリソースは、開始位置情報、終了位置情報、リソース期間、及び開始位置のオフセットにより制限されるリソース範囲内で、第１のビットマップのパターン情報を参照して決定されるリソースでもよい。
【００５３】
第１の情報が第１のビットマップのパターン情報のみ含むとき、第１の情報により示され自律上りリンク伝送に対応する上りリンクリソースは、第１のビットマップのパターン情報を参照して、予め設定されたリソース範囲内で決定されたリソースでもよいことに留意されたい。
【００５４】
ステップ２０２：ネットワークデバイスが第２の情報をユーザ装置に送信し、第２の情報は、上りリンクリソース内であり、かつ自律上りリンク伝送を実行するためにユーザ装置により実際に使用されるリソースを示すために使用される。
【００５５】
このステップにおいて、ネットワークデバイスは、上りリンクリソースの一部又は全部が自律上りリンク伝送を実行するためにユーザ装置により実際に使用されることを示すことができる。具体的には、ネットワークデバイスは、第１の情報及び現在の負荷状態に基づいて、上りリンクリソース内であり、かつ自律上りリンク伝送を実行するためにユーザ装置により実際に使用されるリソースを決定してもよい。任意で、現在の下りリンク負荷が比較的重く、上りリンク負荷が比較的軽いとき、ネットワークデバイスは、上りリンクリソースの小部分が自律上りリンク伝送を実行するためにユーザ装置により実際に使用されることを示してもよく、ネットワークデバイスは、下りリンク伝送のために上りリンクリソース内の他のリソースを割り当ててもよい。現在の下りリンク負荷が比較的軽く、上りリンク負荷が比較的重いとき、ネットワークデバイスは、上りリンクリソースの大部分が自律上りリンク伝送を実行するためにユーザ装置により実際に使用されることを示してもよく、ネットワークデバイスは、下りリンク伝送のために上りリンクリソース内の他のリソースを割り当ててもよい。現在の上りリンク負荷が非常に重いとき、ネットワークデバイスは、上りリンクリソースの全てが自律上りリンク伝送を実行するためにユーザ装置により実際に使用されることを示してもよい。第２の情報をユーザ装置に送信することによりリソース利用率を改善できることが分かる。
【００５６】
第２の情報は、ユーザ装置に対して上りリンクリソース内のリソースを示すことができる任意の情報を具体的に含んでもよい。任意で、第２の情報は、以下の情報、すなわち、アクティブ化（activation）位置情報、非アクティブ化（deactivation）位置情報、第２のリソースサイズ、及び第２のビットマップのパターン情報のうち１つ以上を含んでもよい。
【００５７】
アクティブ化位置情報、非アクティブ化位置情報、及び第２のリソースサイズのうち１つ以上が、アクティブ化ウィンドウを示すために使用されてもよい。アクティブ化位置情報は、アクティブ化ウィンドウの開始位置を示すことができ、非アクティブ化位置情報は、アクティブ化ウィンドウの終了位置を示すことができる。アクティブ化位置情報及び非アクティブ化位置情報は、無線フレーム番号（システムフレーム番号とも呼ばれる）、サブフレーム番号、スロット番号、シンボルインデックス等のうち１つ以上を使用することにより具体的に記述されてもよい。第２のリソースサイズは、アクティブ化ウィンドウのサイズを示すことができる。第２のリソースサイズは、時間長値、サブフレーム数、無線フレーム数、スロット数、シンボル数などを使用することにより具体的に記述されてもよい。第２のビットマップのパターン情報は、上りリンクリソース内であり、かつ自律上りリンク伝送を実行するためにユーザ装置により実際に使用されるアクティブ化ウィンドウ内のリソースのビットマップパターンを示すために使用されてもよい。第２のビットマップは、サブフレーム、無線フレーム、スロット、シンボル、又はより小さい測定単位において具体的に測定されてもよい。これは本明細書において限定されない。第２のビットマップがサブフレームにおいて測定される場合、第２のビットマップの１ビットが１つのサブフレームに対応してもよい。第２のビットマップがスロットにおいて測定される場合、１ビットが１スロットに対応してもよい。第２のビットマップのパターン情報では、自律上りリンク伝送を行うためにユーザ装置により実際に使用されるリソースに対応するビットと、自律上りリンク伝送を行うためにユーザ装置により実際に使用されないリソースに対応するビットが、異なる値に設定される。
【００５８】
以下では、第２の情報が、前述の情報のうち１つ以上を使用することにより、上りリンクリソース内であり、かつ自律上りリンク伝送を実行するためにユーザ装置により実際に使用されるリソースを示す例について説明する。
【００５９】
例８：第２の情報が、アクティブ化位置情報及び非アクティブ化位置情報を含む。具体的には、第２の情報は、アクティブ化位置情報及び非アクティブ化位置情報を使用することによりアクティブ化ウィンドウを制限することができる。アクティブ化ウィンドウ内であり、かつ上りリンクリソース内であるリソースが、自律上りリンク伝送を実行するためにユーザ装置により実際に使用されるリソースである。第１の情報により示され自律上りリンク伝送に対応する上りリンクリソースが図３Ａに示されていると仮定すると、第２の情報により示され、かつ自律上りリンク伝送を実行するためにユーザ装置により実際に使用されるリソースは、図５Ａに具体的に示され得る。
【００６０】
例９：第２の情報が、アクティブ化位置情報及び第２のリソースサイズを含む。具体的には、第２の情報は、アクティブ化位置情報及び第２のリソースサイズを使用することによりアクティブ化ウィンドウを制限することができる。アクティブ化ウィンドウ内であり、かつ上りリンクリソース内であるリソースが、自律上りリンク伝送を実行するためにユーザ装置により実際に使用されるリソースである。第１の情報により示され自律上りリンク伝送に対応する上りリンクリソースが図４に示されていると仮定すると、第２の情報により示され、かつ自律上りリンク伝送を実行するためにユーザ装置により実際に使用されるリソースは、図５Ｂに具体的に示され得る。
【００６１】
任意で、アクティブ化位置情報、非アクティブ化位置情報、及び第２のリソースサイズのうち１つ以上に追加で、第２の情報は、第２のビットマップのパターン情報をさらに含んでもよい。対応して、第２の情報により示され、かつ自律上りリンク伝送を実行するためにユーザ装置により実際に使用されるリソースは、アクティブ化位置情報、非アクティブ化位置情報、及び第２のリソースサイズのうち１つ以上により制限されたアクティブ化ウィンドウ内の上りリンクリソースにおいて、第２のビットマップのパターン情報を参照して決定されるリソースとして理解されてもよい。詳細については例１０及び例１１を参照する。
【００６２】
例１０：第２の情報が、アクティブ化位置情報、非アクティブ化位置情報、及び第２のビットマップのパターン情報を含む。対応して、第２の情報により示され、かつ自律上りリンク伝送を実行するためにユーザ装置により実際に使用されるリソースは、アクティブ化位置情報及び非アクティブ化位置情報により制限されたアクティブ化ウィンドウ内の上りリンクリソースにおいて、第２のビットマップのパターン情報を参照して決定されるリソースとして理解されてもよい。
【００６３】
例１１：第２の情報が、アクティブ化位置情報、第２のリソースサイズ、及び第２のビットマップのパターン情報を含む。対応して、第２の情報により示され、かつ自律上りリンク伝送を実行するためにユーザ装置により実際に使用されるリソースは、アクティブ化位置情報及び第２のリソースサイズにより制限されたアクティブ化ウィンドウ内の上りリンクリソースにおいて、第２のビットマップのパターン情報を参照して決定されるリソースとして理解されてもよい。第１の情報により示され自律上りリンク伝送に対応する上りリンクリソースと、第２の情報により示されるアクティブ化ウィンドウが、図５Ｃに示されていると仮定される。アクティブ化位置情報は無線フレーム番号１のサブフレーム番号０であり、第２のリソースサイズは３０個のサブフレームであり、第２のビットマップのビットマップ情報は図４に示されている。第２のビットマップでは、１ビットが１つのサブフレームに対応し、自律上りリンク伝送を実行するためにユーザ装置により実際に使用されるリソースに対応するビットの値は１であり、自律上りリンク伝送を実行するためにユーザ装置により使用されないリソースに対応するビットの値は０である。したがって、第２の情報は、自律上りリンク伝送を実行するためにユーザ装置により実際に使用されるリソースが、無線フレーム番号付け１のサブフレーム番号付け２及び５、無線フレーム番号付け２のサブフレーム番号付け０、３、及び８、並びに無線フレーム番号付け３のサブフレーム番号付け１、６、及び９であることを示すために具体的に使用されてもよい。
【００６４】
第２の情報が第２のビットマップのパターン情報のみ含むとき、アクティブ化ウィンドウの範囲は、第１の情報により示され自律上りリンク伝送に対応する上りリンクリソースの範囲と考えられてもよいことに留意されたい。
【００６５】
本出願のこの実施形態において、上りリンクリソースが時間リソースである例が説明のために主に使用されていることに留意されたい。任意で、上りリンクリソースは、代替的に、周波数リソース又は時間周波数リソースでもよい。これは本出願において限定されない。具体的に、上りリンクリソースが周波数リソースであるとき、開始位置情報、終了位置情報、アクティブ化位置情報、及び非アクティブ化位置情報は、周波数リソース単位を示すために使用できるサブキャリア番号を使用することにより具体的に記述されてもよく、リソース期間、第１のリソースサイズ、開始位置のオフセット、及び第２のリソースサイズは、周波数リソースサイズを示すために使用できる周波数帯域幅又はサブキャリア数を使用することにより具体的に記述されてもよく、第１のビットマップ及び第２のビットマップは、サブキャリアにおいて具体的に測定されてもよい。これは本出願において限定されない。上りリンクリソースが時間周波数リソースであるとき、開始位置情報及び終了位置情報は、時間周波数リソース単位を示すために使用できる物理リソースブロック（physical  resource  block、ＰＲＢ）を使用することにより具体的に記述されてもよく、リソース期間、第１のリソースサイズ、及び開始位置のオフセットは、時間周波数リソースサイズを示すために使用できる物理リソースブロック数を使用することにより具体的に記述されてもよく、第１のビットマップ及び第２のビットマップは、物理リソースブロックにおいて具体的に測定されてもよい。これは本出願において限定されない。
【００６６】
任意で、ネットワークデバイスは、より下位層のシグナリング、例えば、媒体アクセス制御（media  access  control、ＭＡＣ）層又は物理層シグナリングを使用することにより、第２の情報をユーザ装置に送信してもよい。任意で、ステップ２０２は、具体的に、ネットワークデバイスが下りリンク制御情報（downlink  control  information、ＤＣＩ）をユーザ装置に送信し、下りリンク制御情報は第２の情報を含み、あるいは、ネットワークデバイスが第２の情報をＭＡＣ層の制御ユニット（制御要素（control  element）、ＣＥ）に追加することにより第２の情報をユーザ装置に送信することでもよい。任意で、下りリンク制御情報のフォーマット（format）は新たに生成されたＤＣＩフォーマットでもよく、あるいは既存のＤＣＩフォーマット０Ａ又はＤＣＩフォーマット４Ａでもよい。さらに、任意で、ステップ２０２の前に、ＤＣＩフォーマット０Ａ又はＤＣＩフォーマット４Ａにおける既存のフィールドがさらに検証されてもよい。
【００６７】
具体的に、検証は、スケジューリング済みＰＵＳＣＨ用ＴＰＣコマンド（TPC  command  for  scheduled  PUSCH）フィールド、変調及び符号化方式並びに冗長バージョン（Modulation  and  coding  scheme  and  redundancy  version）フィールド、ハイブリッドＡＲＱプロセス番号（HARQ  process  number）フィールド、変調及び符号化方式（Modulation  and  coding  scheme）フィールド、又はＰＵＳＣＨの冗長バージョン（Redundancy  version）フィールドのうち１つ以上に対して実行されてもよい。
【００６８】
フィールド検証の具体的な実装は本出願の実施形態において限定されず、当業者は実際の要件に基づいて対応する設計を行えることに留意されたい。
【００６９】
ユーザ装置により受信された下りリンク制御情報が、自律上りリンク伝送のための第２の情報を含むことがあり、あるいは通常の上りリンクスケジューリングのための他の動的スケジューリング情報を含むことがあることを考慮し、物理下りリンク制御チャネル（physical  downlink  control  channel、ＰＤＣＣＨ）内で搬送された下りリンク制御情報に含まれる特定の情報をユーザ装置が区別するのを助けるために、ユーザ装置は、セル無線ネットワーク一時識別子（radio  network  temporary  identifier、ＲＮＴＩ）を使用することにより下りリンク制御情報を区別してもよい。具体的に、下りリンク制御情報が第２の情報を含むとき、ネットワークデバイスは、下りリンク制御情報を物理下りリンク制御チャネルに追加し、自律上りリンク伝送に対応する特定の無線ネットワークリソース識別子を使用することにより物理下りリンク制御チャネルをスクランブルし（scrambling）た後、物理下りリンク制御チャネルをユーザ装置に送信する。ユーザ装置は、特定の無線ネットワークリソース識別子を使用することにより物理下りリンク制御チャネルをデスクランブルして、物理下りリンク制御チャネルから下りリンク制御情報を取得する。さらに、ユーザ装置が、自律上りリンク伝送に対応する特定の無線ネットワークリソース識別子を使用することによりデスクランブル（descrambling）を実行するため、下りリンク制御情報が第２の情報を含むことが決定され得る。下りリンク制御情報が動的スケジューリング情報を含むとき、ネットワークデバイスは、下りリンク制御情報を物理下りリンク制御チャネルに追加し、セル無線ネットワーク一時識別子（cell  radio  network  temporary  identifier、Ｃ‐ＲＮＴＩ）を使用することにより物理下りリンク制御チャネルをスクランブルした後、物理下りリンク制御チャネルをユーザ装置に送信する。ユーザ装置は、Ｃ‐ＲＮＴＩを使用することにより物理下りリンク制御チャネルをデスクランブルして、物理下りリンク制御チャネルから下りリンク制御情報を取得する。さらに、ユーザ装置が、Ｃ‐ＲＮＴＩを使用することによりデスクランブルを実行するため、下りリンク制御情報が動的スケジューリング情報を含むことが決定され得る。
【００７０】
自律上りリンク伝送に対応する特定の無線ネットワークリソース識別子は、自律上りリンク無線ネットワーク一時識別子ＡＵＬ‐ＲＮＴＩとして記されてもよい。
【００７１】
ステップ２０３：ユーザ装置が、第１の情報及び第２の情報に基づいて自律上りリンク伝送を実行する。
【００７２】
このステップにおいて、ユーザ装置が、自律上りリンク伝送が実行される必要のある上りリンクデータを有するとき、ユーザ装置は、第１の情報を使用することにより、第１の情報により示された全ての上りリンクリソースを取得し、次いで、第２の情報を受信することにより、第１の情報により示された上りリンクリソース内のアクティブ化された上りリンクリソースを取得し、アクティブ化ウィンドウ内の上りリンクリソース上で自律上りリンク伝送を実行することができる。具体的に、上りリンクデータは、ＬＢＴ競合アクセスメカニズムを使用することによりアクティブ化ウィンドウ内の上りリンクリソース上で伝送されてもよい。
【００７３】
本出願において、ネットワークデバイスは、ユーザ装置により行われる自律上りリンク伝送に対応する上りリンクリソースを示すために使用される第１の情報をユーザ装置に送信し、ネットワークデバイスは、上りリンクリソース内であり、かつ自律上りリンク伝送を行うためにユーザ装置により実際に使用されるリソースを示すために使用される第２の情報をユーザ装置に送信し、ユーザ装置は、第１の情報及び第２の情報に基づいて自律上りリンク伝送を行い、それにより、リソース利用率が確保されると同時に、自律上りリンク伝送に対応する上りリンクリソースが割り当てられる。
【００７４】
図６は、本出願の一実施形態によるリソース割り当て装置の概略構造図である。図６に示すように、本実施形態で提供されるリソース割り当て装置は、第１の情報をユーザ装置に送信するように構成された第１の送信ユニット６０１であり、第１の情報は、ユーザ装置により実行される自律上りリンク伝送に対応する上りリンクリソースを示すために使用される、第１の送信ユニットと、第２の情報をユーザ装置に送信するように構成された第２の送信ユニット６０２であり、第２の情報は、上りリンクリソース内であり、かつ自律上りリンク伝送を実行するためにユーザ装置により実際に使用されるリソースを示すために使用される、第２の送信ユニットと、を含み得る。
【００７５】
任意で、第１の送信ユニット６０１は、第１の情報を無線リソース制御シグナリングに追加することにより、第１の情報をユーザ装置に送信するように具体的に構成される。
【００７６】
任意で、第２の送信ユニット６０２は、下りリンク制御情報をユーザ装置に送信するように具体的に構成され、下りリンク制御情報は第２の情報を含み、あるいは、第２の送信ユニット６０２は、第２の情報を媒体アクセス制御層における制御ユニットに追加することにより、第２の情報をユーザ装置に送信するように具体的に構成される。
【００７７】
任意で、第２の送信ユニット６０２は、自律上りリンク伝送に対応する特定の無線ネットワーク一時識別子を使用することにより下りリンク制御情報をスクランブルした後、スクランブルされた下りリンク制御情報をユーザ装置に送信するように具体的に構成される。
【００７８】
任意で、第１の情報は、以下の情報、すなわち、
開始位置情報、終了位置情報、リソース期間、開始位置のオフセット、第１のリソースサイズ、及び第１のビットマップのパターン情報、のうち１つ以上を含む。
【００７９】
任意で、第２の情報は、以下の情報、すなわち、
アクティブ化位置情報、非アクティブ化位置情報、第２のリソースサイズ、及び第２のビットマップのパターン情報、のうち１つ以上を含む。
【００８０】
本出願のこの実施形態で提供される装置は前述の方法の実施形態におけるネットワークデバイス側の技術的解決策を実行することができ、その実装原理及び技術的効果は同様である。詳細はここで説明されない。
【００８１】
図７は、本出願の別の実施形態によるリソース割り当て装置の概略構造図である。図７に示すように、この実施形態で提供されるリソース割り当て装置は、ネットワークデバイスにより送信された第１の情報を受信するように構成された第１の受信ユニット７０１であり、第１の情報は、ユーザ装置により実行される自律上りリンク伝送に対応する上りリンクリソースを示すために使用される、第１の受信ユニットと、ネットワークデバイスにより送信された第２の情報を受信するように構成された第２の受信ユニット７０２であり、第２の情報は、上りリンクリソース内であり、かつ自律上りリンク伝送を実行するためにユーザ装置により実際に使用されるリソースを示すために使用される、第２の受信ユニットと、第１の情報及び第２の情報に基づいて自律上りリンク伝送を実行するように構成された上りリンク伝送ユニット７０３とを含み得る。
【００８２】
任意で、第１の受信ユニット７０１は、無線リソース制御シグナリングを使用することによりネットワークデバイスにより送信された第１の情報を受信するように具体的に構成される。
【００８３】
任意で、第２の受信ユニット７０２は、ネットワークデバイスにより送信された下りリンク制御情報を受信するように具体的に構成され、下りリンク制御情報は第２の情報を含み、あるいは、第２の受信ユニット７０２は、媒体アクセス制御層における制御ユニットを使用することによりネットワークデバイスにより送信された第２の情報を受信するように具体的に構成される。
【００８４】
任意で、第２の受信ユニット７０２は、自律上りリンク伝送に対応する特定の無線ネットワーク一時識別子を使用することにより物理下りリンク制御チャネルをデスクランブルして、物理下りリンク制御チャネルから下りリンク制御情報を取得するように具体的に構成される。
【００８５】
任意で、第１の情報は、以下の情報、すなわち、
開始位置情報、終了位置情報、リソース期間、開始位置のオフセット、第１のリソースサイズ、及び第１のビットマップのパターン情報、のうち１つ以上を含む。
【００８６】
任意で、第２の情報は、以下の情報、すなわち、
アクティブ化位置情報、非アクティブ化位置情報、第２のリソースサイズ、及び第２のビットマップのパターン情報、のうち１つ以上を含む。
【００８７】
本出願のこの実施形態で提供される装置は前述の方法の実施形態におけるユーザ装置側の技術的解決策を実行することができ、その実装原理及び技術的効果は同様である。詳細はここで説明されない。
【００８８】
装置のユニットへの分割は単に論理機能分割であり、実際の実装の間、ユニットの全部又は一部が一物理エンティティに統合されてもよく、あるいはユニットは物理的に別個でもよいことが理解されるべきことに留意されたい。さらに、ユニットの全てが、処理要素により呼び出されるソフトウェアの形態で、又はハードウェアの形態で実現されてもよい。代替的に、ユニットのいくつかが処理要素により呼び出されるソフトウェアの形態で実現されてもよく、ユニットのいくつかがハードウェアの形態で実現されてもよい。例えば、受信ユニットは、別個に配置された処理要素でもよく、あるいは実装のために装置のチップに統合されてもよい。さらに、受信ユニットは、プログラムの形態で装置のメモリに記憶され、装置の処理要素により呼び出されて受信ユニットの機能を実行してもよい。他のユニットの実装はこれと同様である。さらに、これらのユニットの一部又は全部が一緒に統合されてもよく、あるいは独立して実現されてもよい。処理要素は集積回路でもよく、信号処理能力を有する。実装プロセスにおいて、前述の方法におけるステップ又は前述のユニットは、処理要素内のハードウェア集積論理回路を使用することにより、又はソフトウェアの形式で命令を使用することにより実現可能である。さらに、前述の受信ユニットは受信制御ユニットであり、装置のうちの受信装置、例えばアンテナ又は無線周波数装置を使用することにより情報を受信してもよい。
【００８９】
前述のユニットは、前述の方法を実現するための１つ以上の集積回路、例えば、１つ以上の特定用途向け集積回路（Application  Specific  Integrated  Circuit、ＡＳＩＣ）として構成されてもよく、あるいは、１つ以上のマイクロプロセッサ（デジタル信号プロセッサ（digital  signal  processor）ＤＳＰなど）、１つ以上のフィールドプログラマブルゲートアレイ（Field  Programmable  Gate  Array、ＦＰＧＡ）などとして構成されてもよい。別の例として、前述のユニットの１つが、プログラムを呼び出すことにより処理要素により実現されるとき、処理要素は、汎用プロセッサ、例えば、中央処理装置（Central  Processing  Unit、ＣＰＵ）又はプログラムを呼び出すことができる別のプロセッサでもよい。別の例として、これらのユニットが一緒に統合され、システムオンチップ（system-on-a-chip、ＳＯＣ）の形態で実現されてもよい。
【００９０】
本出願の一実施形態は、図６に示すリソース割り当て装置及び図７に示すリソース割り当て装置を含む通信システムをさらに提供する。
【００９１】
図８は、本出願の一実施形態によるユーザ装置の概略構造図である。図８に示すように、ユーザ装置は、プロセッサ１１０、メモリ１２０、及びトランシーバ装置１３０を含む。トランシーバ装置１３０は、アンテナに接続されてもよい。下りリンク方向では、トランシーバ装置１３０が、アンテナを使用することにより、ネットワークデバイスにより送信された情報を受信し、情報を処理のためにプロセッサ１１０に送信する。上りリンク方向では、プロセッサ１１０が、ユーザ装置のデータを処理し、処理されたデータをトランシーバ装置１３０を使用することによりネットワークデバイスに送信する。
【００９２】
メモリ１２０は、前述の方法の実施形態又は図７に示す実施形態におけるモジュールを実現するためのプログラムを記憶するように構成され、プロセッサ１１０は、前述の方法の実施形態における動作を実行するプログラムを呼び出して、図７に示すモジュールを実現する。
【００９３】
代替的に、前述のモジュールの一部又は全部が、ユーザ装置のチップに埋め込まれた集積回路の形態で実現されてもよい。さらに、モジュールは独立して実現されてもよく、あるいは一緒に統合されてもよい。換言すれば、前述のユニットは、前述の方法を実現するための１つ以上の集積回路、例えば、１つ以上の特定用途向け集積回路（Application  Specific  Integrated  Circuit、ＡＳＩＣ）として構成されてもよく、あるいは１つ以上のマイクロプロセッサ（デジタル信号プロセッサ（digital  signal  processor）ＤＳＰなど）、１つ以上のフィールドプログラマブルゲートアレイ（Field  Programmable  Gate  Array、ＦＰＧＡ）などとして構成されてもよい。
【００９４】
図９は、本出願の一実施形態によるネットワークデバイスの概略構造図である。図９に示すように、ネットワークデバイスは、アンテナ１１０、無線周波数装置１２０、及びベースバンド装置１３０を含む。アンテナ１１０は、無線周波数装置１２０に接続される。上りリンク方向では、無線周波数装置１２０が、アンテナ１１０を使用することにより、ユーザ装置により送信された情報を受信し、ユーザ装置により送信された情報を処理のためにベースバンド装置１３０に送信する。下りリンク方向では、ベースバンド装置１３０が、ユーザ装置により送信された情報を処理し、処理された情報を無線周波数装置１２０に送信する。無線周波数装置１２０は、ユーザ装置により送信された情報を処理し、次いで、処理された情報をアンテナ１１０を使用することによりユーザ装置に送信する。
【００９５】
一実装において、前述のモジュールは、プログラムをスケジューリングすることにより処理要素により実現される。例えば、ベースバンド装置１３０は、処理要素１３１及び記憶要素１３２を含み、処理要素１３１は、記憶要素１３２に記憶されたプログラムを呼び出して、前述の方法の実施形態における方法を実行する。さらに、ベースバンド装置１３０は、無線周波数装置１２０と情報を交換するように構成されたインターフェース１３３をさらに含んでもよい。例えば、インターフェースは、共通パブリック無線インターフェース（common  public  radio  interface、ＣＰＲＩ）である。
【００９６】
別の実装において、前述のモジュールは、前述の方法を実現するための１つ以上の処理要素として構成されてもよく、処理要素は、ベースバンド装置１３０上に配置される。本明細書における処理要素は、集積回路、例えば、１つ以上のＡＳＩＣ、１つ以上のＤＳＰ、又は１つ以上のＦＰＧＡでもよい。これらの集積回路は、チップを形成するように統合されてもよい。
【００９７】
例えば、前述のモジュールは一緒に統合され、システムオンチップ（system-on-a-chip、ＳＯＣ）の形態で実現されてもよい。例えば、ベースバンド装置１３０は、前述の方法を実現するように構成されたＳＯＣチップを含む。処理要素１３１及び記憶要素１３２は、チップに統合されてもよく、前述の方法又は前述のユニットの機能は、記憶要素１３２に記憶されたプログラムを呼び出すことにより、処理要素１３１により実現されてもよい。代替的に、少なくとも１つの集積回路が、前述の方法又は前述のユニットの機能を実現するようにチップに統合されてもよい。代替的に、前述の実装が組み合わせられてもよく、それにより、いくつかのユニットの機能が、プログラムを呼び出すことにより処理要素により実現され、いくつかのユニットの機能が、集積回路を用いることにより実現される。
【００９８】
態様にかかわらず、ネットワークデバイスは、少なくとも１つの処理要素、記憶要素、及び通信インターフェースを含み、少なくとも１つの処理要素は、前述の方法の実施形態におけるステップの一部又は全部を、第１の態様で、換言すれば記憶要素に記憶されたプログラムを実行することにより、又は第２の態様で、換言すれば命令と組み合わせてプロセッサ要素内のハードウェアの集積論理回路を使用することにより実行してもよい。確かに、前述の方法の実施形態で提供される方法は、代替的に、第１の態様を第２の態様と組み合わせることにより実行されてもよい。
【００９９】
ここで処理要素は前述に記載のものと同じであり、中央処理装置（Central  Processing  Unit、ＣＰＵ）などの汎用プロセッサでもよく、前述の方法を実現するように構成された１つ以上の集積回路、例えば１つ以上の特定用途向け集積回路（Application  Specific  Integrated  Circuit、ＡＳＩＣ）でもよく、あるいは１つ以上のマイクロプロセッサ（デジタル信号プロセッサ（digital  signal  processor）ＤＳＰなど）、１つ以上のフィールドプログラマブルゲートアレイ（Field  Programmable  Gate  Array、ＦＰＧＡ）などでもよい。
【０１００】
記憶要素は、メモリ、又は複数の記憶要素の一般名でもよい。
【０１０１】
本出願の一実施形態は、読取可能記憶媒体及びコンピュータプログラムを含む記憶媒体をさらに提供し、コンピュータプログラムは、前述の実施形態のうちいずれか１つにより提供されるリソース割り当て方法を実現するために使用される。
【０１０２】
本出願の一実施形態は、プログラムプロダクトをさらに提供し、プログラムプロダクトは、コンピュータプログラム（すなわち、実行可能な命令）を含み、コンピュータプログラムは、読取可能記憶媒体に記憶される。ユーザ装置の少なくとも１つのプロセッサが読取可能記憶媒体からコンピュータプログラムを読み出すことができ、少なくとも１つのプロセッサはコンピュータプログラムを実行し、それにより、端末は前述の実装で提供されるリソース割り当て方法を実現する。
【０１０３】
本出願の一実施形態は、少なくとも１つの記憶要素及び少なくとも１つの処理要素を含むリソース割り当て装置をさらに提供する。少なくとも１つの記憶要素はプログラムを記憶するように構成され、プログラムが実行されたとき、リソース割り当て装置は、前述の実施形態のうちいずれか１つにおけるネットワークデバイスの動作を実行可能となる。装置は、ネットワークデバイスチップでもよい。
【０１０４】
本出願の一実施形態は、読取可能記憶媒体及びコンピュータプログラムを含む記憶媒体をさらに提供し、コンピュータプログラムは、前述の実施形態のうちいずれか１つにより提供されるリソース割り当て方法を実現するために使用される。
【０１０５】
本出願の一実施形態は、プログラムプロダクトをさらに提供し、プログラムプロダクトはコンピュータプログラム（すなわち、実行可能な命令）を含み、コンピュータプログラムは読取可能記憶媒体に記憶される。ネットワークデバイスの少なくとも１つのプロセッサが読取可能記憶媒体からコンピュータプログラムを読み出すことができ、少なくとも１つのプロセッサはコンピュータプログラムを実行し、それにより、ネットワークデバイスは前述の実装で提供されるリソース割り当て方法を実現する。
【０１０６】
本出願の一実施形態は、少なくとも１つの記憶要素及び少なくとも１つの処理要素を含むリソース割り当て装置をさらに提供する。少なくとも１つの記憶要素はプログラムを記憶するように構成され、プログラムが実行されたとき、リソース割り当て装置は、前述の実施形態のうちいずれか１つにおけるネットワークデバイスの動作を実行可能となる。装置は、ネットワークデバイスチップでもよい。
【０１０７】
前述の方法の実施形態のステップの全部又は一部が、関連ハードウェアに命令するプログラムにより実現されてもよい。前述のプログラムは、コンピュータ読取可能メモリに記憶されてもよい。プログラムが実行されたとき、実施形態における方法のステップが実行される。メモリ（記憶媒体）は、読取専用メモリ（英語：read-only  memory、略称ＲＯＭ）、ＲＡＭ、フラッシュメモリ、ハードディスク、ソリッドステートディスク、磁気テープ（英語：magnetic  tape）、フロッピーディスク（英語：floppy  disk）、光ディスク（英語：optical  disc）、及びこれらの組み合わせを含む。
【図１】
2021501546.tif 000003
【図２】
2021501546.tif 000004
【図３Ａ】
2021501546.tif 000005
【図３Ｂ】
2021501546.tif 000006
【図３Ｃ】
2021501546.tif 000007
【図３Ｄ】
2021501546.tif 000008
【図４】
2021501546.tif 000009
【図５Ａ】
2021501546.tif 000010
【図５Ｂ】
2021501546.tif 000011
【図５Ｃ】
2021501546.tif 000012
【図６】
2021501546.tif 000013
【図７】
2021501546.tif 000014
【図８】
2021501546.tif 000015
【図９】
2021501546.tif 000016
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
装置により実行されるリソース割り当て方法であって、
第１の情報をユーザ装置に送信するステップであり、前記第１の情報は、前記ユーザ装置により実行される自律上りリンク伝送に対応する上りリンクリソースを示すために使用される、ステップと、
第２の情報を前記ユーザ装置に送信するステップであり、前記第２の情報は、前記上りリンクリソース内であり、かつ自律上りリンク伝送を実行するために前記ユーザ装置により実際に使用されるリソースを示すために使用される、ステップと、
を含み、
前記第２の情報は、以下の情報、すなわち、
アクティブ化位置情報、非アクティブ化位置情報、及び第２のリソースサイズ
のうち１つ以上を含む、方法。
【請求項２】
第１の情報をユーザ装置に送信するステップは、
前記第１の情報を無線リソース制御シグナリングに追加することにより前記第１の情報を前記ユーザ装置に送信するステップ
を含む、請求項１に記載の方法。
【請求項３】
第２の情報を前記ユーザ装置に送信するステップは、
下りリンク制御情報を前記ユーザ装置に送信するステップであり、前記下りリンク制御情報は前記第２の情報を含む、ステップ、又は、
前記第２の情報を媒体アクセス制御層における制御ユニットに追加することにより前記第２の情報を前記ユーザ装置に送信するステップ
を含む、請求項１又は２に記載の方法。
【請求項４】
下りリンク制御情報を前記ユーザ装置に送信するステップは、前記装置が、自律上りリンク伝送に対応する特定の無線ネットワーク一時識別子を使用することにより前記下りリンク制御情報をスクランブルした後、スクランブルされた下りリンク制御情報を前記ユーザ装置に送信するステップを含む、請求項３に記載の方法。
【請求項５】
前記第１の情報は、以下の情報、すなわち、
開始位置情報、終了位置情報、リソース期間、開始位置のオフセット、第１のリソースサイズ、及び第１のビットマップのパターン情報
のうち１つ以上を含む、請求項１乃至４のうちいずれか１項に記載の方法。
【請求項６】
前記第２の情報は、第２のビットマップのパターン情報をさらに含む、請求項１乃至５のうちいずれか１項に記載の方法。
【請求項７】
装置により実行されるリソース割り当て方法であって、
ネットワークデバイスにより送信された第１の情報を受信するステップであり、前記第１の情報は、前記装置により実行される自律上りリンク伝送に対応する上りリンクリソースを示すために使用される、ステップと、
前記ネットワークデバイスにより送信された第２の情報を受信するステップであり、前記第２の情報は、前記上りリンクリソース内であり、かつ自律上りリンク伝送を実行するために前記装置により実際に使用されるリソースを示すために使用される、ステップと、
前記第１の情報及び前記第２の情報に基づいて自律上りリンク伝送を実行するステップと、
を含み、
前記第２の情報は、以下の情報、すなわち、
アクティブ化位置情報、非アクティブ化位置情報、及び第２のリソースサイズ
のうち１つ以上を含む、方法。
【請求項８】
ネットワークデバイスにより送信された第１の情報を受信するステップは、
無線リソース制御シグナリングを使用することにより前記ネットワークデバイスにより送信された前記第１の情報を受信するステップ
を含む、請求項７に記載の方法。
【請求項９】
前記ネットワークデバイスにより送信された第２の情報を受信するステップは、
前記ネットワークデバイスにより送信された下りリンク制御情報を受信するステップであり、前記下りリンク制御情報は前記第２の情報を含む、ステップ、又は、
媒体アクセス制御層における制御ユニットを使用することにより前記ネットワークデバイスにより送信された前記第２の情報を受信するステップ
を含む、請求項７又は８に記載の方法。
【請求項１０】
前記ネットワークデバイスにより送信された下りリンク制御情報を受信するステップは、自律上りリンク伝送に対応する特定の無線ネットワーク一時識別子を使用することにより物理下りリンク制御チャネルをデスクランブルして、前記物理下りリンク制御チャネルから前記下りリンク制御情報を取得するステップを含む、請求項９に記載の方法。
【請求項１１】
前記第１の情報は、以下の情報、すなわち、
開始位置情報、終了位置情報、リソース期間、開始位置のオフセット、第１のリソースサイズ、及び第１のビットマップのパターン情報
のうち１つ以上を含む、請求項７乃至１０のうちいずれか１項に記載の方法。
【請求項１２】
前記第２の情報は、第２のビットマップのパターン情報をさらに含む、請求項７乃至１１のうちいずれか１項に記載の方法。
【請求項１３】
少なくとも１つの記憶要素と少なくとも１つの処理要素とを含むリソース割り当て装置であって、
前記少なくとも１つ記憶要素はプログラムを記憶するように構成され、前記プログラムが実行されたとき、当該リソース割り当て装置は請求項１乃至６、７乃至１２のうちいずれか１項に記載のリソース割り当て方法を実行可能にされる、装置。
【請求項１４】
読取可能記憶媒体とコンピュータプログラムとを含む記憶媒体であって、
前記コンピュータプログラムは請求項１乃至６、７乃至１２のうちいずれか１項に記載のリソース割り当て方法を実現するために使用される、記憶媒体。
【請求項１５】
少なくとも１つの記憶要素と少なくとも１つの処理要素とを含むチップであって、
前記少なくとも１つの記憶要素はプログラムを記憶するように構成され、前記プログラムが実行されたとき、当該チップは請求項１乃至６、７乃至１２のうちいずれか１項に記載のリソース割り当て方法を実行可能にされる、チップ。
【請求項１６】
プログラムであって、リソース割り当て装置の少なくとも１つのプロセッサが当該プログラムを読取可能であり、前記少なくとも１つのプロセッサは当該プログラムを実行し、それにより、前記リソース割り当て装置は請求項１乃至６、７乃至１２のうちいずれか１項に記載のリソース割り当て方法を実現する、プログラム。
【国際調査報告】
2021501546.tif 000017
2021501546.tif 000018
2021501546.tif 000019
2021501546.tif 000020